(57)【要約】【課題】空気用ピストンを下方に付勢しつつ、上下方向の寸法を小さく抑える。【解決手段】ステム１２を有するポンプと、押下ヘッド１４と、を備え、ポンプは、液用ピストンが内部に設けられた液用シリンダと、空気用ピストン２２が内部に設けられた空気用シリンダと、内容液と空気とを混合する気液混合室２６と、空気用シリンダ内の空気を気液混合室２６に導く空気通路６５と、を備え、空気用ピストン２２は挿通筒部４５を有し、ステム１２は、挿通筒部４５の下端に当接し気液混合室２６内と空気用シリンダ内との連通を遮断する当接部４２を有し、押下ヘッド１４および空気用ピストン２２には、互いに当接する傾斜部６１と摺接部７６とが各別に設けられ、傾斜部６１は傾斜面６２を有し、摺接部７６は傾斜面６２と径方向に接触し、傾斜部６１および摺接部７６のいずれか一方が、径方向に弾性変形させられて他方と接触し、空気用ピストン２２が下方に付勢される。【選択図】図２
2020001779.tif 000002
【特許請求の範囲】
【請求項１】
内容液が収容される容器の口部に上方付勢状態で下方移動可能に立設されるステムを有するポンプと、
前記ステムの上端部に連結され、吐出口が形成された押下ヘッドと、を備え、
前記ポンプは、
前記ステムに連係する液用ピストンが内部に上下摺動自在に設けられた液用シリンダと、
前記ステムに連係する空気用ピストンが内部に上下摺動自在に設けられた空気用シリンダと、
前記液用シリンダから移送される内容液と前記空気用シリンダから移送される空気とを混合する気液混合室と、
前記空気用シリンダ内の空気を前記気液混合室に導く空気通路と、を備え、
前記空気用ピストンは、内部に前記ステムが上下動自在に挿通され、該ステムとの間に前記空気通路の一部を形成する挿通筒部を有し、
前記ステムは、前記挿通筒部の下端に該挿通筒部の下方から当接し、前記空気通路を通した前記気液混合室内と前記空気用シリンダ内との連通を遮断する当接部を有し、
前記押下ヘッドおよび前記空気用ピストンには、互いに当接する傾斜部と摺接部とが各別に設けられ、
前記傾斜部は、上下方向に向かうにしたがい径方向の位置が変位する傾斜面を有し、
前記摺接部は、前記傾斜面と径方向に接触し、
前記傾斜部および前記摺接部のいずれか一方が、径方向に弾性変形させられた状態で他方と接触することで、前記空気用ピストンが前記ステムに対して下方に付勢される、泡吐出器。
【請求項２】
請求項１に記載の泡吐出器であって、
前記傾斜部は、前記空気用ピストンに一体に形成され、
前記摺接部は、前記押下ヘッドに一体に形成される、泡吐出器。
【請求項３】
内容液が収容される容器の口部に上方付勢状態で下方移動可能に立設されるステムを有するポンプと、
前記ステムの上端部に連結され、吐出口が形成された押下ヘッドと、を備え、
前記ポンプは、
前記ステムに連係する液用ピストンが内部に上下摺動自在に設けられた液用シリンダと、
前記ステムに連係する空気用ピストンが内部に上下摺動自在に設けられた空気用シリンダと、
前記液用シリンダから移送される内容液と前記空気用シリンダから移送される空気とを混合する気液混合室と、
前記空気用シリンダ内の空気を前記気液混合室に導く空気通路と、を備え、
前記空気用ピストンは、内部に前記ステムが上下動自在に挿通され、該ステムとの間に前記空気通路の一部を形成する挿通筒部を有し、
前記ステムは、前記挿通筒部の下端に該挿通筒部の下方から当接し、前記空気通路を通した前記気液混合室内と前記空気用シリンダ内との連通を遮断する当接部を有し、
前記ステムおよび前記空気用ピストンには、互いに当接する傾斜部と摺接部とが各別に設けられ、
前記傾斜部は、上下方向に向かうにしたがい径方向の位置が変位する傾斜面を有し、
前記摺接部は、前記傾斜面と径方向に接触し、
前記傾斜部および前記摺接部のいずれか一方が、径方向に弾性変形させられた状態で他方と接触することで、前記空気用ピストンが前記ステムに対して下方に付勢される、泡吐出器。
【請求項４】
請求項３に記載の泡吐出器であって、
前記傾斜部は、前記空気用ピストンに一体に形成され、
前記摺接部は、前記ステムに一体に形成される、泡吐出器。
【請求項５】
請求項１〜４のいずれか一項に記載の泡吐出器であって、
前記摺接部は、径方向に弾性変形可能な弾性片である、泡吐出器。
【請求項６】
請求項１〜５のいずれか一項に記載の泡吐出器であって、
前記傾斜部は、前記挿通筒部に配置される、泡吐出器。
【発明の詳細な説明】
【技術分野】
【０００１】
本発明は、泡吐出器に関する。
【背景技術】
【０００２】
フォーマポンプ（泡吐出器）は、容器内の内容液を外気と混合することで泡状にして、ノズル孔から吐出する。特許文献１のフォーマポンプは、上下方向に弾性変形する付勢部材によって、空気用ピストンが下方に向けて付勢されている。これにより、気液混合室の内容液が空気通路内を通して空気用シリンダ内に逆流することを抑制している。なお、内容液が空気用シリンダ内に逆流すると、空気用ピストンの上下動がスムーズに行われなくなる場合がある。
【先行技術文献】
【特許文献】
【０００３】
【特許文献１】特許第６１９０６９５号公報
【発明の概要】
【発明が解決しようとする課題】
【０００４】
従来の泡吐出器においては、空気用ピストンを下方に付勢しつつ、上下方向の寸法のかさばりを抑える点に改善の余地があった。
【０００５】
上記事情に鑑み、本発明は、空気用ピストンを下方に付勢しつつ、上下方向の寸法のかさばりを抑えられる泡吐出器を提供することを目的の一つとする。
【課題を解決するための手段】
【０００６】
本発明の泡吐出器の一つの態様は、内容液が収容される容器の口部に上方付勢状態で下方移動可能に立設されるステムを有するポンプと、前記ステムの上端部に連結され、吐出口が形成された押下ヘッドと、を備え、前記ポンプは、前記ステムに連係する液用ピストンが内部に上下摺動自在に設けられた液用シリンダと、前記ステムに連係する空気用ピストンが内部に上下摺動自在に設けられた空気用シリンダと、前記液用シリンダから移送される内容液と前記空気用シリンダから移送される空気とを混合する気液混合室と、前記空気用シリンダ内の空気を前記気液混合室に導く空気通路と、を備え、前記空気用ピストンは、内部に前記ステムが上下動自在に挿通され、該ステムとの間に前記空気通路の一部を形成する挿通筒部を有し、前記ステムは、前記挿通筒部の下端に該挿通筒部の下方から当接し、前記空気通路を通した前記気液混合室内と前記空気用シリンダ内との連通を遮断する当接部を有し、前記押下ヘッドおよび前記空気用ピストンには、互いに当接する傾斜部と摺接部とが各別に設けられ、前記傾斜部は、上下方向に向かうにしたがい径方向の位置が変位する傾斜面を有し、前記摺接部は、前記傾斜面と径方向に接触し、前記傾斜部および前記摺接部のいずれか一方が、径方向に弾性変形させられた状態で他方と接触することで、前記空気用ピストンが前記ステムに対して下方に付勢される。
また、本発明の泡吐出器の一つの態様は、内容液が収容される容器の口部に上方付勢状態で下方移動可能に立設されるステムを有するポンプと、前記ステムの上端部に連結され、吐出口が形成された押下ヘッドと、を備え、前記ポンプは、前記ステムに連係する液用ピストンが内部に上下摺動自在に設けられた液用シリンダと、前記ステムに連係する空気用ピストンが内部に上下摺動自在に設けられた空気用シリンダと、前記液用シリンダから移送される内容液と前記空気用シリンダから移送される空気とを混合する気液混合室と、前記空気用シリンダ内の空気を前記気液混合室に導く空気通路と、を備え、前記空気用ピストンは、内部に前記ステムが上下動自在に挿通され、該ステムとの間に前記空気通路の一部を形成する挿通筒部を有し、前記ステムは、前記挿通筒部の下端に該挿通筒部の下方から当接し、前記空気通路を通した前記気液混合室内と前記空気用シリンダ内との連通を遮断する当接部を有し、前記ステムおよび前記空気用ピストンには、互いに当接する傾斜部と摺接部とが各別に設けられ、前記傾斜部は、上下方向に向かうにしたがい径方向の位置が変位する傾斜面を有し、前記摺接部は、前記傾斜面と径方向に接触し、前記傾斜部および前記摺接部のいずれか一方が、径方向に弾性変形させられた状態で他方と接触することで、前記空気用ピストンが前記ステムに対して下方に付勢される。
【０００７】
この泡吐出器では、押下ヘッドを押し下げると、押下ヘッドとともにステムが下方移動する。このとき、空気用シリンダに対する空気用ピストンの上下方向の位置は、空気用シリンダの内圧の作用等により一時的に保持されて、ステムの当接部が、空気用ピストンの挿通筒部の下端から下方に離れる。これにより空気用シリンダ内と気液混合室内とが、空気通路を通して互いに連通する。さらに押下ヘッドを押し下げると、ステムおよび空気用ピストンが一体的に押し下げられて、空気用シリンダ内の空気が気液混合室内に供給される。
【０００８】
また上記過程において、ステムに連係して液用ピストンが液用シリンダ内を下方に向けて移動し、液用シリンダ内の内容液が、気液混合室内に供給される。したがって、空気および内容液を気液混合室内で混合させることができ、その後、泡状の内容液として押下ヘッドの吐出口から吐出することができる。
【０００９】
内容液の吐出後、押下ヘッドの押し下げを解除すると、ステムが上方付勢力によって上方移動するので、該ステムに連係する空気用ピストンおよび液用ピストンも上方移動して、元の状態に戻る。この過程において、ステムの当接部が、空気用ピストンの挿通筒部の下端に下方から当接し、空気通路を通した気液混合室内と空気用シリンダ内との連通が遮断される。
【００１０】
ここで、仮にステムに作用する上方付勢力を利用しても、挿通筒部の下端に対して当接部が当接しなかった場合でも、本発明の泡吐出器によれば、傾斜部および摺接部のいずれか一方が、径方向に弾性変形した状態で他方と接触することにより、空気用ピストンを下方に付勢しているので、挿通筒部の下端が当接部に向けて下方移動し、該挿通筒部の下端と当接部とが安定して当接させられる。このため、空気通路を通した気液混合室内と空気用シリンダ内との連通を安定して遮断できる。したがって、気液混合室の内容液が空気通路内を通して空気用シリンダ内に逆流することが抑制され、空気用ピストンの上下動がスムーズに安定して行われる。
【００１１】
また、傾斜部および摺接部のいずれかが径方向へ弾性変形させられて空気用ピストンを下方に付勢するので、泡吐出器が繰り返し使用された場合でも、空気用ピストンに作用する下方への付勢力が低下しにくく、この付勢力が安定して高く維持されやすい。そして、例えば上下方向に弾性変形する弾性部材によって空気用ピストンを下方に付勢する構成と比べて、本発明によれば、泡吐出器の上下方向の寸法を小さく抑えることができる。
【００１２】
上記泡吐出器において、前記傾斜部は、前記空気用ピストンに一体に形成され、前記摺接部は、前記押下ヘッドに一体に形成されることが好ましい。
上記泡吐出器において、前記傾斜部は、前記空気用ピストンに一体に形成され、前記摺接部は、前記ステムに一体に形成されることが好ましい。
【００１３】
この場合、泡吐出器の部品点数を増やすことなく、簡素な構成によって上述の作用効果を得ることができる。
【００１４】
上記泡吐出器において、前記摺接部は、径方向に弾性変形可能な弾性片であることが好ましい。
【００１５】
摺接部が例えば板状等の弾性片であると、摺接部の配置スペースを小さく抑えられ、かつ安定して弾性変形させやすい。
【００１６】
上記泡吐出器において、前記傾斜部は、前記挿通筒部に配置されることが好ましい。
【００１７】
この場合、傾斜部から挿通筒部へと直接的に下方への付勢力が伝わるので、空気用ピストンを安定して下方に付勢できる。したがって、気液混合室の内容液が空気通路内を通して空気用シリンダ内に逆流することがより安定して抑制される。
【発明の効果】
【００１８】
本発明の泡吐出器によれば、空気用ピストンを下方に付勢しつつ、上下方向の寸法のかさばりを抑えられる。
【図面の簡単な説明】
【００１９】
【図１】第１実施形態の泡吐出器を示す縦断面図である。
【図２】第１実施形態の泡吐出器の要部を拡大して示す部分縦断面図であり、図１のII部の拡大図である。
【図３】第１実施形態の泡吐出器の要部を拡大して示す部分縦断面図である。
【図４】第２実施形態の泡吐出器を示す縦断面図である。
【図５】第２実施形態の泡吐出器の要部を拡大して示す部分縦断面図である。
【図６】第３実施形態の泡吐出器を示す縦断面図である。
【図７】第３実施形態の泡吐出器の要部を拡大して示す部分縦断面図である。
【発明を実施するための形態】
【００２０】
＜第１実施形態＞
以下、本発明の第１実施形態の泡吐出器１０について、図１〜図３を参照して説明する。
本実施形態の泡吐出器１０は、内容液が収容される有底筒状の容器２の口部３に装着される。泡吐出器１０は、いわゆるフォーマポンプである。泡吐出器１０は、容器２内の内容液を空気と混合し泡状にして吐出する。
【００２１】
図１に示すように、泡吐出器１０は、容器２の口部３に装着される装着キャップ１１と、ステム１２を有するポンプ１３と、押下ヘッド１４と、を備える。
容器２の口部３、装着キャップ１１、ポンプ１３および押下ヘッド１４は、それぞれの中心軸線が共通軸上に配置される。本実施形態では、この共通軸をポンプ軸Ｏと呼ぶ。
【００２２】
本実施形態では、ポンプ軸Ｏが延びる方向（ポンプ軸Ｏに平行な方向）をポンプ軸Ｏ方向または上下方向と呼ぶ。ポンプ軸Ｏ方向に沿って容器２の底部から押下ヘッド１４へ向かう方向を上方と呼び、押下ヘッド１４から容器２の底部へ向かう方向を下方と呼ぶ。
ポンプ軸Ｏ方向から見た平面視で、ポンプ軸Ｏに直交する方向を径方向と呼ぶ。径方向に沿ってポンプ軸Ｏに接近する方向を径方向内側と呼び、ポンプ軸Ｏから離間する方向を径方向外側と呼ぶ。
ポンプ軸Ｏ回りに周回する方向を周方向と呼ぶ。
【００２３】
装着キャップ１１は、容器２の口部３に装着される有頂筒状の装着筒１７と、装着筒１７の天壁から上方へ延びるガイド筒１８と、を有する。
図示の例では、装着筒１７が、口部３に螺着される。ただしこれに限らず、装着筒１７は、口部３に螺着以外の例えば嵌合等により装着されてもよい。本実施形態では、装着筒１７が、口部３に対して着脱可能であるが、着脱不能でもよい。
【００２４】
ガイド筒１８は、装着筒１７の天壁に立設されてポンプ軸Ｏ方向に延びる。ガイド筒１８は、平面視で装着筒１７の天壁の中央部に配置される。
ガイド筒１８の外周には、規制部材１９が着脱可能に取り付けられる。規制部材１９は、例えば、ポンプ軸Ｏに垂直な横断面の形状が、略Ｃ字状である。規制部材１９の上端は、押下ヘッド１４の後述する外筒７４の下端部に、下方から対向する。規制部材１９の下端は、装着筒１７の天壁に、上方から対向する。規制部材１９は、押下ヘッド１４の押し下げ操作による下方移動を規制する。規制部材１９は、泡吐出器１０の使用時には取り外される。
【００２５】
ポンプ１３は、ステム１２と、空気用ピストン２２と、液用ピストン２３と、空気用シリンダ２４と、液用シリンダ２５と、気液混合室２６と、空気通路６５と、発泡部材５４と、ケーシング２８と、を有する。
ステム１２は、容器２の口部３に上方付勢状態で下方移動可能に立設される。空気用ピストン２２および液用ピストン２３は、ステム１２に連係して上下動する。空気用シリンダ２４は、内部に空気用ピストン２２が上下摺動自在に設けられる。液用シリンダ２５は、内部に液用ピストン２３が上下摺動自在に設けられる。気液混合室２６は、液用シリンダ２５から移送される内容液と空気用シリンダ２４から移送される空気とを混合する。空気通路６５は、空気用シリンダ２４内の空気を気液混合室２６に導く。発泡部材５４は、気液混合室２６で混合された気液混合体を発泡させて内容液を泡状にする。ケーシング２８は、気液混合室２６の上方に該気液混合室２６と隣り合って配置され、発泡部材５４を保持する。
空気用ピストン２２、液用ピストン２３、空気用シリンダ２４および液用シリンダ２５は、いずれもポンプ軸Ｏと同軸の筒状である。ポンプ１３の上記構成要素、および上記以外の構成要素について、以下に詳しく説明する。
【００２６】
空気用シリンダ２４は、装着筒１７の天壁の径方向外端部と容器２の口部３の上端部との間に上下方向から挟まれる環状の取り付け部と、取り付け部の内周部から下方に延びる筒状の周壁部と、周壁部の下端部から径方向内側に広がる環状の底壁部と、を備える。
【００２７】
液用シリンダ２５は、空気用シリンダ２４の底壁部の内周部から下方に延びる基筒部３０と、基筒部３０の下端に接続し、下方に向かうにしたがい縮径するテーパ部３１と、縦リブ３２と、垂下筒３３と、を有する。縦リブ３２は、液用シリンダ２５の内周における基筒部３０とテーパ部３１との接続部分に配置されて、上下方向に延びる。縦リブ３２は、周方向に互いに間隔をあけて複数配置される。垂下筒３３は、テーパ部３１の下端に接続し、テーパ部３１から下方へ延びる。垂下筒３３には、吸い上げパイプ３４が嵌合する。吸い上げパイプ３４は、垂下筒３３から下方に向けて突出する。図示を省略するが、吸い上げパイプ３４の下端部は、容器２の底部近傍に配置される。
【００２８】
液用ピストン２３は、液用シリンダ２５内に上下摺動自在に嵌合する大径部と、大径部よりも小径とされ、大径部の内周部から上方へ延びる小径部と、を有する。液用ピストン２３は、付勢部材３６により上方に向けて付勢される。付勢部材３６は、基筒部３０内に配置され、上下方向に延びる。付勢部材３６は、例えばコイルスプリングや樹脂バネ等である。付勢部材３６の上端部は、液用ピストン２３の大径部と小径部との接続部分に対して下方から接触する。付勢部材３６の下端部は、液用シリンダ２５の縦リブ３２に対して上方から接触する。
【００２９】
液用ピストン２３、液用シリンダ２５および付勢部材３６の径方向内側には、弁部材３７が設けられる。弁部材３７は、上下方向に延びる軸状である。弁部材３７の上端部には、上部弁体３９が設けられる。上部弁体３９は、中空の逆円錐状である。上部弁体３９は、液用ピストン２３の小径部の上端部に設けられた環状の弁座部３８に対して、上方および径方向内側から接触する。
【００３０】
弁部材３７の下端部には、下部弁体４０が設けられる。下部弁体４０は、液用シリンダ２５のテーパ部３１から上方に離れて配置される。弁部材３７が下方移動したときに、下部弁体４０は、テーパ部３１に上方から接触する。弁部材３７の下端部の外周には、ガイド凸部４１が突設される。ガイド凸部４１は、周方向に隣り合う縦リブ３２同士の間に配置される。
【００３１】
ステム１２は、上下方向に延びる筒状である。ステム１２は、装着キャップ１１の径方向内側に配置される。ステム１２は、ステム本体筒２７を有する。
【００３２】
ステム本体筒２７は、空気用シリンダ２４内を上下方向に延びる筒状である。ステム本体筒２７の上端部は、ガイド筒１８の径方向内側に配置される。押下ヘッド１４が押し下げ操作されたときに、ステム本体筒２７は、液用シリンダ２５内に挿入される。ステム本体筒２７の下方部分は、液用ピストン２３の小径部に対して、径方向外側に嵌合する。
【００３３】
ステム本体筒２７は、当接部４２と、台座部４３と、摺動部５１と、を有する。
当接部４２は、ステム本体筒２７の外周面から径方向外側に突出し周方向に延びる環状である。当接部４２は、ステム本体筒２７の外周面から径方向外側に広がるフランジ状である。当接部４２は、空気用ピストン２２の後述する挿通筒部４５の下端に、該挿通筒部４５の下方から当接する。当接部４２は、挿通筒部４５の下端に当接することで、空気通路６５を通した気液混合室２６内と空気用シリンダ２４内との連通を遮断する。
【００３４】
台座部４３は、ステム本体筒２７の内周面から径方向内側に突出し周方向に延びる環状である。台座部４３は、当接部４２よりも上方に位置する。台座部４３は、ステム本体筒２７の上端開口部内に配置される。台座部４３は、ステム本体筒２７の上端よりも下方に位置する。
【００３５】
摺動部５１は、ステム本体筒２７の外周のうち、当接部４２の上方に位置し、台座部４３の下方に位置する。摺動部５１の外周面には、上下方向に延びる第１連通溝６６が形成される。第１連通溝６６は、空気用シリンダ２４の後述する下室４９に連通可能である。
【００３６】
ケーシング２８は、上下方向に延びる筒状である。ケーシング２８の下方部分は、ステム本体筒２７の上端開口部内に嵌合する。ケーシング２８の下方部分の外周面には、上下方向に延びる第２連通溝６７が形成される。第２連通溝６７は、気液混合室２６に連通する。第２連通溝６７は、ケーシング２８の下方部分と上方部分との接続部分において、径方向の外側へ向けて開口する。
【００３７】
ケーシング２８の上方部分の外径は、ケーシング２８の下方部分の外径よりも大きい。ケーシング２８の上方部分は、ステム本体筒２７の上端部よりも上方に位置する。ケーシング２８の上方部分の内部には、発泡部材５４が収容される。発泡部材５４は、２つの発泡エレメントを有する。２つの発泡エレメントは、それぞれ筒状であり、上下方向に並んで配置される。２つの発泡エレメントのうち、下方に位置する発泡エレメントの下端開口部にはメッシュ体が張設され、上方に位置する発泡エレメントの上端開口部にもメッシュ体が張設される。
【００３８】
気液混合室２６は、ステム１２内に設けられる。本実施形態では、気液混合室２６が、ステム本体筒２７の上端部内に配置される。気液混合室２６は、ケーシング２８の内部と連通する。気液混合室２６内には、球状の逆止弁４４が設けられる。逆止弁４４は、台座部４３に上方から接触する。逆止弁４４は、台座部４３に対して上方へ離間可能である。逆止弁４４が台座部４３から上方に離れたときに、気液混合室２６と、ステム本体筒２７の内部のうち台座部４３よりも下方に位置する部分とが、互いに連通する。
【００３９】
空気用ピストン２２は、外筒部４６と、連結部４７と、挿通筒部４５と、を有する。
外筒部４６は、空気用シリンダ２４の周壁部内に上下摺動自在に嵌合する。
連結部４７は、外筒部４６と挿通筒部４５とを連結する。連結部４７は、外筒部４６の内周面と挿通筒部４５の外周面とを連結する環状である。連結部４７は、外筒部４６の上下方向の中央部と、挿通筒部４５の上下方向の中央部とを、周方向の全周にわたって連結する。連結部４７によって空気用シリンダ２４の内部が、上室４８と下室４９とに分けられる。連結部４７には、連結部４７を上下方向に貫通する貫通孔５０が形成される。貫通孔５０は、連結部４７の上方に位置する上室４８と、連結部４７の下方に位置する下室４９と、を連通する。
【００４０】
挿通筒部４５は、内部にステム１２が上下動自在に挿通される。挿通筒部４５は、ステム本体筒２７の径方向外側に上下動自在に嵌合する。挿通筒部４５は、ステム本体筒２７の外周の摺動部５１に対して、摺動自在に嵌合する。
【００４１】
図２に示すように、挿通筒部４５は、摺動部５１の第１連通溝６６のうち上端部以外の部分を、径方向外側から囲う。これにより挿通筒部４５は、ステム１２との間に空気通路６５の一部を形成する。挿通筒部４５の下端は、当接部４２に対して上方から接触する。挿通筒部４５の下端は、当接部４２に対して上方へ離間可能である。挿通筒部４５が当接部４２に接触することにより、第１連通溝６６と下室４９との連通が遮断される。
【００４２】
挿通筒部４５の外周面のうち、連結部４７との接続部分よりも下方に位置する部分には、弁筒部が嵌合される。弁筒部の外周面には、外気導入弁５３が突設される。外気導入弁５３は、弁筒部の外周面から径方向外側に広がるフランジ状である。外気導入弁５３は、貫通孔５０を通した上室４８と下室４９との連通を遮断する。外気導入弁５３の外周端部は、連結部４７の下面に離間可能に当接する。外気導入弁５３は、貫通孔５０を開放可能に閉塞する。
挿通筒部４５の上端部は、押下ヘッド１４の後述する内筒７３の下端部内に上下動自在に嵌合する。
【００４３】
挿通筒部４５は、連結部４７との接続部分よりも上方に位置する部分に、傾斜部６１を有する。傾斜部６１は、挿通筒部４５に配置される。つまり本実施形態では、空気用ピストン２２に傾斜部６１が設けられる。傾斜部６１は、空気用ピストン２２に一体に形成される。
【００４４】
傾斜部６１は、上下方向に向かうにしたがい径方向の位置が変位する傾斜面６２を有する。本実施形態では、傾斜面６２が、下方に向かうにしたがい径方向外側に位置する。傾斜面６２は、下方に向かうにしたがい拡径するテーパ面状である。傾斜面６２は、挿通筒部４５の外周面のうち、上下方向の一部を構成する。傾斜面６２は、挿通筒部４５の外周面において、周方向の全周にわたって延びる。
【００４５】
ここで、押下ヘッド１４について説明する。図１に示すように、押下ヘッド１４は、ステム１２の上端部に連結される。本実施形態では、押下ヘッド１４が、ステム１２の上端部に直接的に連結される。押下ヘッド１４は、ステム本体筒２７の上端部と直接固定される。押下ヘッド１４には、内容液を吐出する吐出口６３が形成される。押下ヘッド１４は、有頂筒状である。押下ヘッド１４は、内筒７３と、外筒７４と、天壁部７１と、吐出筒７２と、を有する。
【００４６】
内筒７３は、ステム１２に固定される。内筒７３は、上下方向に延び、内部を内容液が流通する。内筒７３は、ケーシング２８の上方部分およびステム本体筒２７の上端部に対して、径方向外側に嵌合し固定される。内筒７３は、装着キャップ１１のガイド筒１８内に挿入される。内筒７３の外周面と、ガイド筒１８の内周面との間には、隙間が設けられる。この隙間を通して、泡吐出器１０の外部から空気用シリンダ２４内へと、空気が流入可能である。
【００４７】
内筒７３は、外嵌部７５と、流通路７７と、摺接部７６と、を有する。
外嵌部７５は、ステム本体筒２７の上端部に対して、径方向外側に嵌合する。外嵌部７５は、内筒７３の下端部よりも上方に位置する部分であり、該下端部に隣接して配置される。外嵌部７５の内径は、内筒７３の下端部の内径よりも小さい。
【００４８】
外嵌部７５の内周面には、上下方向に延びる第３連通溝６８が形成される。第３連通溝６８の上端部は、第２連通溝６７に向けて開口する。第３連通溝６８の下端部は、第１連通溝６６に向けて開口する。第３連通溝６８は、第２連通溝６７および第１連通溝６６と連通する。第１連通溝６６、第２連通溝６７および第３連通溝６８は、下室４９と気液混合室２６とを連通可能な空気通路６５を構成する。
【００４９】
流通路７７は、内筒７３の内部に形成される。流通路７７は、上下方向に延びる。流通路７７は、内筒７３内において発泡部材５４の上方に位置する。流通路７７は、発泡部材５４およびケーシング２８の内部を通してステム１２内と連通する。流通路７７は、吐出筒７２内と連通する。
【００５０】
図２に示すように、摺接部７６は、内筒７３の下端部に配置される。つまり押下ヘッド１４は、摺接部７６を有する。本実施形態では、押下ヘッド１４に摺接部７６が設けられる。摺接部７６は、押下ヘッド１４に一体に形成される。摺接部７６は、内筒７３の下端部において、下方に向けて突設される。摺接部７６は、径方向に弾性変形可能である。本実施形態では摺接部７６が、径方向に弾性変形可能な弾性片である。摺接部７６は、板状であり、一対の板面が径方向を向く。摺接部７６は、内筒７３の下端部に、周方向に互いに間隔をあけて複数設けられる。
【００５１】
摺接部７６は、傾斜面６２と径方向に接触する。本実施形態では、複数の摺接部７６が、傾斜面６２に対して、径方向外側から摺動自在に接触する。すなわち、押下ヘッド１４および空気用ピストン２２には、互いに当接する傾斜部６１と摺接部７６とが各別に設けられる。そして、傾斜部６１および摺接部７６のいずれか一方が、径方向に弾性変形させられた状態で他方と接触することで、空気用ピストン２２がステム１２に対して下方に付勢される。本実施形態では、摺接部７６が、径方向に弾性変形させられた状態で傾斜部６１の傾斜面６２に接触し、これにより空気用ピストン２２が、押下ヘッド１４およびステム１２に対して下方に付勢されている。
【００５２】
図１に示すように、外筒７４は、内筒７３の径方向外側に隙間をあけて配置される。外筒７４は、内筒７３のうち上方部分を径方向外側から囲う。外筒７４は、ポンプ軸Ｏを中心とした筒状であり、内筒７３と同軸に配置される。外筒７４の下端部は、径方向内側へ向けて突出する。外筒７４の下端部の径方向内端と、ガイド筒１８の上端部の径方向外端とは、互いに径方向に接近して配置されまたは接触する。
【００５３】
天壁部７１は、内筒７３および外筒７４を上方から覆う。天壁部７１は、内筒７３の上端部および外筒７４の上端部に接続される。天壁部７１は、内筒７３の上端部および外筒７４の上端部を塞ぐ。
【００５４】
吐出筒７２は、内筒７３の上端部に接続し、該上端部から径方向外側へ向けて延びる。吐出筒７２は、外筒７４の上端部を径方向に貫通する。吐出筒７２は、径方向外側へ向けて開口する吐出口６３を有する。吐出口６３は、吐出筒７２内を通して、流通路７７と連通する。
【００５５】
次に、泡吐出器１０による内容液の吐出について説明する。
泡吐出器１０の使用前は、押下ヘッド１４の下方移動が規制部材１９により規制された状態である。まず、装着キャップ１１のガイド筒１８から規制部材１９を取り外す。
【００５６】
押下ヘッド１４の天壁部７１を下方へ向けて押し下げると、押下ヘッド１４とともにステム１２が下方移動する。このとき、空気用シリンダ２４に対する空気用ピストン２２の上下方向の位置は、空気用シリンダ２４の内圧の作用等により一時的に保持されて、図３に示すように、ステム１２の当接部４２が、空気用ピストン２２の挿通筒部４５の下端から下方に離れる。これにより空気用シリンダ２４内と気液混合室２６内とが、空気通路６５を通して互いに連通する。また、内筒７３の下端部（本実施形態では摺接部７６）が、空気用ピストン２２の連結部４７に、上方から当接する。
【００５７】
さらに押下ヘッド１４を押し下げると、ステム１２および空気用ピストン２２が一体的に押し下げられて、空気用ピストン２２の外筒部４６が、空気用シリンダ２４の周壁部の内周面上を下方に向けて摺動する。このとき、空気用ピストン２２の弁筒部の外気導入弁５３は連結部４７の下面に当接した状態であり、貫通孔５０を通した上室４８と下室４９との連通は遮断されている。このため、下室４９内の空気が圧縮され、この空気が、挿通筒部４５の下端と当接部４２との間から空気通路６５を通って、気液混合室２６に移送される。
また、ステム１２の下方移動にともない弁部材３７も下方に移動させられて、弁部材３７の下部弁体４０が液用シリンダ２５のテーパ部３１に当接し、液用シリンダ２５の下端開口が閉塞される。
【００５８】
また上記過程において、液用ピストン２３は、ステム１２の下方移動に連係して、液用シリンダ２５内を下方に向けて移動する。液用ピストン２３は、液用シリンダ２５の下端開口が閉塞された状態で、付勢部材３６を圧縮変形させつつ下方移動する。弁座部３８は、液用ピストン２３の下方移動にともない弁部材３７の上部弁体３９から下方へ離間されて、液用シリンダ２５の内部とステム１２の内部とが連通される。これにより、液用シリンダ２５内の内容液が、弁座部３８の径方向内側および上部弁体３９の径方向外側を通して、気液混合室２６に移送される。
【００５９】
気液混合室２６に空気および内容液がそれぞれ移送されると、これらが気液混合室２６内で合流して混合され、気液混合体となる。この気液混合体は、ステム１２の上方の発泡部材５４に移送され、下方の発泡エレメントのメッシュ体および上方の発泡エレメントのメッシュ体をこの順に通過し発泡させられて、泡体（泡状の内容液）となる。泡体は、内筒７３内の流通路７７および吐出筒７２内を流通して、吐出筒７２の先端部に開口する吐出口６３から、外部に吐出される。
【００６０】
泡体の吐出後、押下ヘッド１４の押し下げを解除すると、付勢部材３６の弾性復元力により、液用ピストン２３が上方へ押し上げられる。これにより、液用ピストン２３の弁座部３８が弁部材３７の上部弁体３９に当接し、弁座部３８と上部弁体３９との間の隙間が閉じられて、液用シリンダ２５の内部とステム１２の内部との連通が遮断される。
【００６１】
また、液用ピストン２３とともに、ステム１２および押下ヘッド１４が一体的に上昇する。この過程において、ステム１２の当接部４２が、空気用ピストン２２の挿通筒部４５の下端に下方から当接し、空気通路６５を通した下室４９と気液混合室２６との連通が遮断される。
【００６２】
ここで、仮にステム１２に作用する上方付勢力を利用しても、挿通筒部４５の下端に対して当接部４２が当接しなかった場合でも、本実施形態の泡吐出器１０によれば、傾斜部６１および摺接部７６のいずれか一方（本実施形態では摺接部７６）が、径方向に弾性変形した状態で他方（本実施形態では傾斜部６１）と接触することにより、空気用ピストン２２を下方に付勢しているので、挿通筒部４５の下端が当接部４２に向けて下方移動し、該挿通筒部４５の下端と当接部４２とが安定して当接させられる。このため、空気通路６５を通した気液混合室２６内と空気用シリンダ２４内との連通を安定して遮断できる。
【００６３】
さらに、付勢部材３６の弾性復元力により空気用ピストン２２が押し上げられ、下室４９内が負圧状態となり、空気用ピストン２２の弁筒部の外気導入弁５３が下方に弾性変形させられて、貫通孔５０を通して上室４８と下室４９とが連通する。これにより、貫通孔５０を通して、下室４９内に外気が吸入される。本実施形態では上述したように、挿通筒部４５の下端と当接部４２とが安定して当接させられるため、外気導入弁５３が安定して機能し、気液混合室２６の内容液が空気通路６５内を通して空気用シリンダ２４内に逆流することが抑制される。したがって、空気用ピストン２２の上下動がスムーズに安定して行われる。
【００６４】
また本実施形態では、傾斜部６１および摺接部７６のいずれかが径方向へ弾性変形させられて空気用ピストン２２を下方に付勢するので、泡吐出器１０が繰り返し使用された場合でも、空気用ピストン２２に作用する下方への付勢力が低下しにくく、この付勢力が安定して高く維持されやすい。そして、本実施形態と異なり、例えば上下方向に弾性変形する弾性部材によって空気用ピストンを下方に付勢する構成と比べて、本実施形態によれば、泡吐出器１０の上下方向の寸法を小さく抑えることができる。
【００６５】
また本実施形態では、傾斜部６１が空気用ピストン２２に一体に形成され、摺接部７６が押下ヘッド１４に一体に形成されているので、泡吐出器１０の部品点数を増やすことなく、簡素な構成によって上述の作用効果を得ることができる。
【００６６】
また本実施形態では、摺接部７６が、径方向に弾性変形可能な弾性片であるので、摺接部７６の配置スペースを小さく抑えられ、かつ安定して弾性変形させやすい。
【００６７】
また本実施形態では、傾斜部６１が挿通筒部４５に配置される。これにより、傾斜部６１から挿通筒部４５へと直接的に下方への付勢力が伝わるので、空気用ピストン２２を安定して下方に付勢できる。したがって、気液混合室２６の内容液が空気通路６５内を通して空気用シリンダ２４内に逆流することがより安定して抑制される。
【００６８】
＜第２実施形態＞
次に、本発明の第２実施形態の泡吐出器２０について、図４および図５を参照して説明する。なお、第２実施形態では、第１実施形態と同一の構成要素については同一の符号を付してその説明を省略し、主として異なる構成要素について説明する。
【００６９】
図４に示すように、本実施形態では、装着キャップ１１が、垂下ガイド筒８１を有し、ガイド筒１８を有さない。垂下ガイド筒８１は、装着筒１７の天壁の内周部から下方に向けて延びる。
また、空気用ピストン２２が、ガイド筒部８２を有する。ガイド筒部８２は、連結部４７の上面に立設されて、上下方向に延びる。ガイド筒部８２は、垂下ガイド筒８１内に上下動自在に嵌合する。ガイド筒部８２は、装着筒１７の天壁よりも上方に向けて突出する。ガイド筒部８２には、規制部材１９が着脱可能に取り付けられる。
【００７０】
本実施形態では、ステム１２が、上下方向に延びるステム嵌合筒８３を有する。すなわち、ステム１２は、ステム本体筒２７と、ステム嵌合筒８３と、を有する。ステム嵌合筒８３の外径は、ケーシング２８の外径よりも大きい。本実施形態の例では、ステム嵌合筒８３とケーシング２８が、一体的に形成される。ステム嵌合筒８３の上端部は、ケーシング２８の下方部分と上方部分との接続部分に対して、径方向外側から接続する。ステム嵌合筒８３は、ケーシング２８の下方部分およびステム本体筒２７の上端部を、径方向外側から囲う。ステム嵌合筒８３の上方部分の内径は、ステム嵌合筒８３の下方部分の内径よりも小さい。図示の例では、ステム嵌合筒８３の上方部分の外径が、ステム嵌合筒８３の下方部分の外径よりも小さい。ステム嵌合筒８３の外周面と、ガイド筒部８２の内周面との間には、隙間が設けられる。
【００７１】
ステム嵌合筒８３は、該ステム嵌合筒８３の上方部分に、外嵌部７５を有する。ステム嵌合筒８３は、該ステム嵌合筒８３の下端部に、摺接部７６を有する。摺接部７６は、ステム嵌合筒８３の下端部において、周方向に互いに間隔をあけて複数設けられる。つまり本実施形態では、摺接部７６が、押下ヘッド１４の代わりにステム１２に設けられる。摺接部７６は、ステム嵌合筒８３に一体に形成される。つまり摺接部７６は、ステム１２に一体に形成される。
【００７２】
本実施形態では、押下ヘッド１４の内筒７３が、ケーシング２８の上方部分に対して、径方向外側に嵌合し固定される。すなわち、本実施形態では、押下ヘッド１４が、ケーシング２８を介してステム１２の上端部に間接的に連結される。押下ヘッド１４は、ケーシング２８を介してステム本体筒２７の上端部に固定される。内筒７３の下端は、ステム嵌合筒８３の上端部に対して、上方から対向する。内筒７３は、空気用ピストン２２のガイド筒部８２内に挿入される。内筒７３の外周面と、ガイド筒部８２の内周面との間には、隙間が設けられる。この隙間を通して、泡吐出器２０の外部から空気用シリンダ２４内へと、空気が流入可能である。
【００７３】
また本実施形態では、発泡部材５４の上面の上下方向の位置が、吐出筒７２の内周面のうち下部（底部）の上下方向の位置と、略同じである。本実施形態では、発泡部材５４が、流通路７７を介さずに吐出筒７２内と直接連通するので、泡体の吐出後に、押下ヘッド１４内に泡体が残留することを抑制できる。
【００７４】
また本実施形態では、押下ヘッド１４が、ガイドリブ８４を有する。ガイドリブ８４は、内筒７３の外周面から径方向外側に突設されて、上下方向に延びる。ガイドリブ８４は、内筒７３の外周面のうち、該内筒７３の下端部以外の部位に配置される。ガイドリブ８４は、内筒７３の外周面に、周方向に互いに間隔をあけて複数設けられる。ガイドリブ８４の径方向外側面には、ガイド筒部８２の内周面が、上下動自在に摺接する。
【００７５】
本実施形態の泡吐出器２０においても、第１実施形態と同様の作用効果が得られる。
詳しくは、押下ヘッド１４を押し下げると、図５に示すように、ステム１２の当接部４２が、空気用ピストン２２の挿通筒部４５の下端から下方に離れる。また、ステム嵌合筒８３の下端部（本実施形態では摺接部７６）が、空気用ピストン２２の連結部４７に、上方から当接する。
【００７６】
泡体の吐出後、押下ヘッド１４の押し下げを解除すると、図４に示すように、ステム１２の当接部４２が、空気用ピストン２２の挿通筒部４５の下端に下方から当接する。
ここで、仮にステム１２に作用する上方付勢力を利用しても、挿通筒部４５の下端に対して当接部４２が当接しなかった場合でも、本実施形態の泡吐出器２０によれば、摺接部７６が、径方向に弾性変形した状態で傾斜部６１と接触することにより、空気用ピストン２２を下方に付勢しているので、挿通筒部４５の下端が当接部４２に向けて下方移動し、該挿通筒部４５の下端と当接部４２とが安定して当接させられる。このため、空気通路６５を通した気液混合室２６内と空気用シリンダ２４内との連通を安定して遮断できる。
【００７７】
＜第３実施形態＞
次に、本発明の第３実施形態の泡吐出器６０について、図６および図７を参照して説明する。なお、第３実施形態では、第１実施形態および第２実施形態と同一の構成要素については同一の符号を付してその説明を省略し、主として異なる構成要素について説明する。
【００７８】
図６に示すように、本実施形態では、押下ヘッド１４が、上下方向に延びる爪部８５を有する。爪部８５は、径方向において内筒７３と外筒７４との間に配置される。爪部８５は、天壁部７１から垂下設される。爪部８５は、上端部が天壁部７１の下面および内筒７３の外周面と接続され、下端部と内筒７３の外周面との間には隙間が設けられている。爪部８５は、周方向に互いに間隔をあけて複数設けられる。
【００７９】
各爪部８５は、下端部にそれぞれ傾斜部８６を有する。つまり本実施形態では、押下ヘッド１４に、周方向に互いに間隔をあけて傾斜部８６が複数設けられる。傾斜部８６は、押下ヘッド１４に一体に形成される。傾斜部８６は、径方向に弾性変形可能である。本実施形態では傾斜部８６が、径方向に弾性変形可能な弾性片である。
【００８０】
傾斜部８６の径方向内側面は、内筒７３の外周面から径方向外側に離れて配置される。傾斜部８６の径方向外側面は、外筒７４の内周面から径方向内側に離れて配置される。傾斜部８６は、上下方向に向かうにしたがい径方向の位置が変位する傾斜面８７を有する。傾斜面８７は、傾斜部８６の外周面に配置される。本実施形態では、傾斜面８７が、下方に向かうにしたがい径方向内側に位置する。
【００８１】
ガイド筒部８２は、上端部に摺接部８８を有する。つまり本実施形態では、摺接部８８が、空気用ピストン２２に一体に形成される。摺接部８８は、ポンプ軸Ｏを中心とする筒状である。摺接部８８は、傾斜面８７と径方向に接触する。本実施形態では、摺接部８８が、複数の傾斜面８７に対して、径方向外側から摺動自在に接触する。すなわち、押下ヘッド１４および空気用ピストン２２には、互いに当接する傾斜部８６と摺接部８８とが各別に設けられる。そして、傾斜部８６および摺接部８８のいずれか一方が、径方向に弾性変形させられた状態で他方と接触することで、空気用ピストン２２がステム１２に対して下方に付勢される。本実施形態では、摺接部８８が傾斜面８７を径方向外側から押圧し、傾斜部８６が径方向内側に弾性変形させられている。つまり傾斜部８６が、径方向に弾性変形させられた状態で摺接部８８と接触する。これにより空気用ピストン２２が、押下ヘッド１４およびステム１２に対して下方に付勢されている。
【００８２】
本実施形態の泡吐出器６０においても、第１実施形態および第２実施形態と同様の作用効果が得られる。
詳しくは、この泡吐出器６０では図７に示すように、押下ヘッド１４を押し下げたときに、傾斜部８６が、径方向に弾性変形した状態で摺接部８８と接触することにより、空気用ピストン２２を下方に付勢する。したがって、泡体の吐出後、押下ヘッド１４の押し下げ操作を解除したときに、仮にステム１２に作用する上方付勢力を利用しても、挿通筒部４５の下端に対して当接部４２が当接しなかった場合でも、傾斜部８６の弾性復元力により空気用ピストン２２が下方に付勢されて、挿通筒部４５の下端が当接部４２に向けて下方移動し、該挿通筒部４５の下端と当接部４２とが安定して当接させられる。このため、空気通路６５を通した気液混合室２６内と空気用シリンダ２４内との連通を安定して遮断できる。
【００８３】
また本実施形態では、傾斜部８６が押下ヘッド１４に一体に形成され、摺接部８８が空気用ピストン２２に一体に形成されているので、泡吐出器６０の部品点数を増やすことなく、簡素な構成によって上述の作用効果を得ることができる。
【００８４】
また本実施形態では、傾斜部８６が、径方向に弾性変形可能な弾性片であるので、傾斜部８６の配置スペースを小さく抑えられ、かつ安定して弾性変形させやすい。
【００８５】
なお、本発明は前述の実施形態に限定されず、例えば下記に説明するように、本発明の趣旨を逸脱しない範囲において構成の変更等が可能である。
【００８６】
前述の実施形態では、押下ヘッド１４の押し下げを解除したときに、傾斜部６１，８６および摺接部７６，８８のいずれか一方が、径方向に弾性変形した状態で他方と接触することにより、空気用ピストン２２が下方に付勢されて、挿通筒部４５の下端と当接部４２とが当接させられる例を挙げたが、これに限らない。例えば、押下ヘッド１４を押し下げた姿勢を所定時間維持することによっても、上述と同様の作用により、挿通筒部４５の下端と当接部４２とを当接させることができる。この場合、気液混合室２６内と空気用シリンダ２４内との空気通路６５を通した連通が遮断された状態で、押下ヘッド１４が上方移動して元の位置に戻る。
【００８７】
第１実施形態および第２実施形態では、摺接部７６が、周方向に互いに間隔をあけて複数設けられる例を挙げたが、これに限らず、摺接部７６は、１つのみ設けられてもよい。この場合、摺接部７６は、弾性片以外の例えば筒状等に形成されて、径方向に弾性変形可能でもよい。
第３実施形態では、傾斜部８６が、周方向に互いに間隔をあけて複数設けられる例を挙げたが、これに限らず、傾斜部８６は、１つのみ設けられてもよい。この場合、傾斜部８６は、弾性片以外の例えば筒状等に形成されて、径方向に弾性変形可能でもよい。
【００８８】
第２実施形態において、押下ヘッド１４のガイドリブ８４を傾斜部とし、空気用ピストン２２のガイド筒部８２の上端部を摺接部としてもよい。すなわち、図４において、ガイドリブ８４の径方向外側面に、上下方向に向かうにしたがい径方向の位置が変位する傾斜面を形成し、この傾斜面に対してガイド筒部８２の上端部（摺接部）が、径方向に接触してもよい。詳しくは、ガイドリブ８４の傾斜面は、下方に向かうにしたがい径方向内側に位置し、ガイド筒部８２の摺接部は、ガイドリブ８４の傾斜面に径方向外側から接触する。そして、ガイド筒部８２の摺接部が、径方向に弾性変形可能な弾性片であり、周方向に互いに間隔をあけて複数設けられてもよい。この場合、ガイド筒部８２の摺接部が、径方向に弾性変形させられた状態でガイドリブ８４（傾斜部）と接触することで、空気用ピストン２２がステム１２に対して下方に付勢される。この構成においても、前述の実施形態と同様の作用効果が得られる。また、上記構成と、第２実施形態で説明した傾斜部６１および摺接部７６とを併用して、泡吐出器２０に、空気用ピストン２２の下方付勢構造を２箇所設けてもよい。
【００８９】
その他、本発明の趣旨を逸脱しない範囲で、上述した実施形態における構成要素を周知の構成要素に置き換えることは適宜可能であり、また、上述した実施形態および変形例を適宜組み合わせてもよい。
【符号の説明】
【００９０】
２…容器、３…口部、１０，２０，６０…泡吐出器、１２…ステム、１３…ポンプ、１４…押下ヘッド、２２…空気用ピストン、２３…液用ピストン、２４…空気用シリンダ、２５…液用シリンダ、２６…気液混合室、４２…当接部、４５…挿通筒部、６１，８６…傾斜部、６２，８７…傾斜面、６３…吐出口、６５…空気通路、７６，８８…摺接部
【図１】
2020001779.tif 000003
【図２】
2020001779.tif 000004
【図３】
2020001779.tif 000005
【図４】
2020001779.tif 000006
【図５】
2020001779.tif 000007
【図６】
2020001779.tif 000008
【図７】
2020001779.tif 000009